(57)【要約】【課題】施錠装置の要部を有効にカバーして不正解錠を防止することができるゲーム機の施錠装置を提供する。【解決手段】基枠体１の支持板３の外側に沿って連結杆６が摺動可能に配設される。支持板３の上部と下部に鉤部材４，５が連結杆６に連結されて傾動可能に枢支される。基枠体１の中間部にシリンダ錠７が取り付けられ、シリンダ錠７の錠軸の先端に連結杆６と係合するカム部材８が固定される。基枠体１の取付板２にシリンダ錠７を挿通させるための開口部２ａが形成される。開口部２ａの縁部に、シリンダ錠７のフランジ７ａを固定するための固定部２ｂが正面側に突出して形成される。固定部２ｂの内側空間２ｃ内にはシリンダ錠７の錠軸先端に固定したカム部材８が配置される。カム部材８を覆うカバー部材１９がシリンダ錠のフランジ７ａを囲うように固定部２ｂに嵌合して取り付けられる。【選択図】図１
2008048782.tif 000002
【特許請求の範囲】
【請求項１】
取付板と支持板を有した基枠体の支持板の外側に沿って連結杆が摺動可能に配設され、該支持板の上部と下部に鉤部材が該連結杆に連結されて傾動可能に枢支され、該基枠体の中間部にシリンダ錠が取り付けられ、該シリンダ錠の錠軸の先端に前記連結杆と係合するカム部材が固定され、前記基枠体がゲーム機の前扉に縦に取付けられ、該ゲーム機の筐体側に取付けられた受け金具の係止部に前記鉤部材が係止されて前扉を施錠するゲーム機の施錠装置であって、
前記基枠体の取付板にシリンダ錠を挿通させるための開口部が形成され、該開口部の縁部に、該シリンダ錠のフランジを固定するための固定部が正面側に突出して形成され、該固定部の内側空間内には該シリンダ錠の錠軸先端に固定したカム部材が配置され、該カム部材を覆うカバー部材が該シリンダ錠のフランジを囲うように該固定部に嵌合して取り付けられたことを特徴とするゲーム機の施錠装置。
【請求項２】
前記筐体側に係止片が設けられ、該前扉の閉鎖時に該係止片が近接する前記連結杆の一部にロック部材が揺動可能に軸支され、該ロック部材には、該係止片が係合する係合凹部が設けられると共に、前記カム部材と係合可能なカム係合部が設けられ、該カム係合部は該取付板の内側面より該基枠体の正面側に配置されたことを特徴とする請求項１記載のゲーム機の施錠装置。
【請求項３】
前記基枠体の支持板と前記連結杆との間にスイッチ作動杆が摺動可能に配設され、該カム部材には、前記連結杆のカム係合部と該スイッチ作動杆のカム係合部に係合する１個の係合凸部が、該カム部材の端部を正面側に曲折して設けられ、該係合凸部の一方の面に該連結杆のカム係合部が係合し、該係合凸部の他方の面に該スイッチ作動杆のカム係合部が係合することを特徴とする請求項１記載のゲーム機の施錠装置。
【請求項４】
前記連結杆における前記シリンダ錠近傍に幅広部が設けられ、該幅広部には正面側に縁部を曲折した曲折カバー部が設けられ、該曲折カバー部が前記ロック部材の正面側を覆って配設されたことを特徴とする請求項１記載のゲーム機の施錠装置。
【請求項５】
前記取付板の正面側におけるロック部材とスイッチ作動杆間にばね部材が掛け渡され、該ばね部材は該ロック部材、該スイッチ作動杆、及び前記連結杆を付勢し、該連結杆の幅広部と前記曲折カバー部によって覆われたことを特徴とする請求項１記載のゲーム機の施錠装置。                                                                     
【発明の詳細な説明】
【技術分野】
【０００１】
本発明は、スロットマシン、パチンコ機等のゲーム機の前扉の内側に取り付けられ、前扉を筐体（本体枠、キャビネット等）に対し施錠するゲーム機の施錠装置に関する。
【背景技術】
【０００２】
ゲーム機の前扉を本体枠に対し施錠する施錠装置として、断面Ｌ字状またはコ字状の取付板と支持板を有した基枠体の内側に、連結杆が摺動可能に配設され、支持板の上部と下部に鉤部材が連結杆に連結されて傾動可能に枢支され、取付板の中間部にシリンダ錠がその錠軸を取付板に設けた孔から内側に差込むように固定され、錠軸の先端に連結杆と係合するカム板が固定されてなる施錠装置が、一般に使用されている。
【０００３】
この種の施錠装置は、シリンダ錠の錠軸をキーで回すことにより、カム板を回動させ、カム板に係合する連結杆を上下に摺動させ、これにより、連結杆の上下端に連結される鉤部材を傾動させ、鉤部材の受け金具との係合をはずして解錠する構造である。しかしながら、施錠状態つまり鉤部材が受け金具と係合した状態であっても、鉤部材に直接力を加えて動かせば、それを傾動させることができるため、ゲーム機の一部に隙間があって、その隙間から針金等を内部に差し込み、針金等で鉤部材に直接力を加えて傾動させると、前扉がキーを用いずに不正に解錠されてしまう問題があった。
【０００４】
そこで、本発明者らは、施錠完了時に連結杆の動きをロックするロック部材を連結杆に枢支し、解錠時にはロック部材のロックを解除する機構を設けることにより、上記のような不正解錠を防止する施錠装置を、下記特許文献１などで提案している。
【特許文献１】特開２００３−７０９６８
【発明の開示】
【発明が解決しようとする課題】
【０００５】
この施錠装置つまり施錠時に連結杆をロックして不正解錠を防止する施錠装置は、ゲーム機の前扉を本体枠に対し閉じ、鉤部材を受け金具の係止部に係止させて施錠を完了すると、ロック部材が連結杆をロックすることにより鉤部材がロックされ、ゲーム機の本体枠と前扉の隙間等から、針金等を差し込んで、連結杆や鉤部材を直接動かして不正解錠をしようとしても、施錠状態にある連結杆や鉤部材はロックされて動かず、不正解錠を防止するものである。
【０００６】
しかしながら、このようなロック部材を設けた施錠装置であっても、シリンダ錠の錠軸に固定されて回転するカム板によって、解錠時にはロック部材のロックが解除されるため、針金等の不正器具の先端をカム板やロック部材の係合部に引っ掛けてロックを解除して、不正解錠が行なわれる可能性があった。
【０００７】
本発明は、上記の課題を解決するためになされたもので、施錠装置の要部を有効にカバーして不正解錠を防止することができるゲーム機の施錠装置を提供することを目的とする。
【課題を解決するための手段】
【０００８】
上記の目的を達成するために、本発明の施錠装置は、取付板と支持板を有した基枠体の支持板の外側に沿って連結杆が摺動可能に配設され、該支持板の上部と下部に鉤部材が該連結杆に連結されて傾動可能に枢支され、該基枠体の中間部にシリンダ錠が取り付けられ、該シリンダ錠の錠軸の先端に前記連結杆と係合するカム部材が固定され、前記基枠体がゲーム機の前扉に縦に取付けられ、該ゲーム機の筐体側に取付けられた受け金具の係止部に前記鉤部材が係止されて前扉を施錠するゲーム機の施錠装置であって、前記基枠体の取付板にシリンダ錠を挿通させるための開口部が形成され、該開口部の縁部に、シリンダ錠のフランジを固定するための固定部が正面側に突出して形成され、該固定部の内側空間内には該シリンダ錠の錠軸先端に固定したカム部材が配置され、該カム部材を覆うカバー部材が該シリンダ錠のフランジを囲うように該固定部に嵌合して取り付けられたことを特徴とする。
【０００９】
ここで、上記施錠装置においては、前記筐体側に係止片が設けられ、前扉の閉鎖時に該係止片が近接する前記連結杆の一部にロック部材が揺動可能に軸支され、該ロック部材には、該係止片が係合する係合凹部が設けられると共に、カム部材と係合可能なカム係合部が設けられ、該カム係合部は該取付板の内側面（背面側）より該基枠体の正面側に位置して設けることができる。
【００１０】
また、カム部材には、連結杆のカム係合部とスイッチ作動杆のカム係合部に係合する１個の係合凸部が、カム部材の端部を正面側に曲折して設けられ、係合凸部の一方の面に連結杆のカム係合部が係合し、係合凸部の他方の面にスイッチ作動杆のカム係合部が係合するように構成することができる。
【００１１】
また、連結杆におけるシリンダ錠近傍に幅広部が設けられ、該幅広部には正面側に縁部を曲折した曲折カバー部が設けられ、該曲折カバー部が上記ロック部材の正面側を覆うように構成することができる。
【００１２】
また、上記取付板の正面側におけるロック部材とスイッチ作動杆間にばね部材が掛け渡され、該ばね部材はロック部材、スイッチ作動杆、及び連結杆を付勢し、上記連結杆の幅広部とその曲折カバー部により該ばね部材が覆われるように構成することができる。
【発明の効果】
【００１３】
上記構成のゲーム機の施錠装置では、シリンダ錠のフランジを固定する固定部が取付板から正面側に突設され、カム部材を覆うカバー部材がシリンダ錠のフランジを囲うように取り付けられ、固定部の内側空間にカム部材が配置され、カバー部材が基枠体の内側に位置するカム部材を、基枠体の背面側で覆うように構成したから、不正解錠を企てる者が、ゲーム機の筐体と前扉の自由端側の隙間から、針金等の不正器具を差し込んで、仮に基枠体の内側に不正器具の先端が達したとしても、カム部材やそれと係合する連結杆のカム係合部などは基枠体の内側（前扉の自由端の隙間に近い部分）に露出していない。
【００１４】
このため、不正器具をそれらに引っ掛けて動かすことはできず、不正解錠を防止することができる。また、連結杆が基枠体の支持板の外側に配設されるため、前扉の自由端側の隙間から差し込まれた不正器具には、支持板が壁となって連結杆に到達することは難しく、これによっても、不正解錠を防止することができる。
【００１５】
さらに、連結杆にロック部材を揺動可能に枢支し、施錠状態において、ロック部材を筐体側の係止片に係止させて、連結杆をロックする構造とすれば、針金などによる不正解錠を一層効果的に防止することができる。
【００１６】
さらに、スイッチ作動杆を支持板の外側に沿って摺動可能に配設し、上記カム部材には、連結杆のカム係合部とスイッチ作動杆のカム係合部に係合する１個の係合凸部を曲折して設け、係合凸部の一方の面に連結杆のカム係合部を係合させ、係合凸部の他方の面にスイッチ作動杆のカム係合部が係合する構造とすれば、カム部材を小形化して取付板上の内側空間に容易に収容することができる。また、その内側空間はカバー部材によりカバーされるため、スイッチ作動杆やカム部材との係合部分に、針金等の不正器具を到達させないようにして、不正行為を防止することができる。
【００１７】
さらに、連結杆におけるシリンダ錠近傍に幅広部を設け、幅広部の正面側に縁部を曲折した曲折カバー部を設け、曲折カバー部がロック部材の正面側を覆うように構成すれば、ゲーム機の正面側から差し込まれた不正器具がロック部材やスイッチ作動杆に達して不正解錠する不正行為は確実に防止される。
【００１８】
また、取付板の正面側におけるロック部材とスイッチ作動杆間にばね部材を掛け渡し、ばね部材はロック部材、スイッチ作動杆、及び連結杆を付勢し、連結杆の幅広部とその曲折カバー部によりばね部材を覆うように構成すれば、１本のばね部材のみで施錠装置の必要な各部材を付勢できると共に、輸送中、取付作業中などの際、何らかの物体がばね部材に当たるなどして、ばね部材が外れる不具合を防止することができる。
【発明を実施するための最良の形態】
【００１９】
以下、本発明の実施形態を図面に基づいて説明する。図１、図４はスロットマシン用の施錠装置の正面側からの斜視図を、図２、図３はその背面側からの斜視図を示し、図５は左側面図を、図６はその右側面図を、図７はその背面図を各々示している。また、図９〜図１１は施錠装置の分解図を示す。
【００２０】
１は断面を略コ字状とした縦長の基枠体で、その正面側に取付板２を形成し、左側面に支持板３を一体形成し、取付板２の右側縁部には高さの低い曲折縁部が曲折して形成されている。図１０に示すように、基枠体１の取付板２の中間部下寄りに幅広部が形成され、その幅広部にシリンダ錠用の開口部２ａが形成される。基枠体１の支持板３は、上部と下部及び上記取付板２の幅広部に対応する中間部が分割形成され、上部と下部に幅広の枢支部が形成されている。
【００２１】
また、図８に示すように、各枢支部には、鉤部材４、５が下側に傾動可能に、枢支ピン４ａ，５ａによって枢支され、支持板３の中間部を分割形成した分割支持板３ａに、後述の筐体側の係止片２６が進入する凹部３ｂが形成されている。鉤部材４、５は三角形頭部とその中間部の係合凹部を設けて形成され、後述の受け金具の係止部２４、２５に係止可能である。
【００２２】
一方、取付板２の中間部に設けた幅広部に、図９に示すように、シリンダ錠７を取り付けるための開口部２ａが形成され、開口部２ａの上部と下部の縁部には、ねじ孔を設けた固定部２ｂが正面側（シリンダ錠７が突出する側）に突出して設けられる。これにより、固定部２ｂの内側つまり開口部２ａの正面側に内側空間２ｃ（図８）が形成される。この内側空間２ｃに、シリンダ錠ユニットのカム部材８とカバー部材１９付きフランジ７ａが配設される。
【００２３】
シリンダ錠７を含むシリンダ錠ユニットは、その開口部２ａにそのカバー部材１９付きフランジ７ａを挿入し、フランジ７ａの固定孔と固定部２ｂのねじ孔に固定ねじ１６を挿入して締付け固定される。図１０に示すように、支持板３における分割支持板３ａの下側の部分には、後述の非接触スイッチ１８を取り付けるためのブラケット部３ｄが側方に突設されている。
【００２４】
シリンダ錠７は、図１１、図１２に示すように、その元部にフランジ７ａが形成され、フランジ７ａの両側に固定孔が穿設され、シリンダ錠７の錠軸７ｂの先端にはカム部材８が固定される。カム部材８は、円板の一部に１個の係合凸部８ａを突設して形成され、この係合凸部８ａは、板材で形成されたカム部材の側端部を正面側に曲折して形成されている。また、カム部材８は係合凸部８ａの両側面を作用面として後述のカム係合部９ａ、１０ｂに係合させるようにしている。
【００２５】
シリンダ錠７のフランジ７ａに、図１１、図１２に示す如く、カバー部材１９がカム部材８をその内側に収納して覆うように取り付けられる。カバー部材１９は硬質合成樹脂により所定の形状に一体成形され、そこには、フランジ７ａが嵌合されるフランジ嵌入部１９ａが形成され、そのフランジ嵌入部１９ａに隣接して、カム部材１９を収容するカム収納空間１９ｂが形成される。
【００２６】
また、カバー部材１９におけるフランジ嵌入部１９ａの反対側の両側に、固定部嵌入部１９ｃが形成され、この固定部嵌入部１９ｃの底部に固定ねじ用の孔が穿設されている。固定部嵌入部１９ｃは上記フランジ取付用に設けた固定部２ｂを収容するように形成され、図１１、図１２に示すように、シリンダ錠７のフランジ７ａをカバー部材１９のフランジ嵌入部１９ａに合わせて嵌め込み、固定ねじ１６をフランジ７ａの固定孔、カバー部材１９の固定孔、及び固定部２ｂに設けたねじ孔に挿通させ、ねじ込んで固定される。これにより、図１２に示すように、シリンダ錠７の錠軸先端に固定したカム部材８は、カバー部材１９のカム収納空間１９ｂ内に収納され、その状態で、シリンダ錠７はカバー部材１９を介して固定部２ｂに固定されることとなる。
【００２７】
このように、カバー部材１９を取り付けたシリンダ錠７を含むシリンダ錠ユニットは、取付板２の前方に突出した固定部２ｂに、そのカバー部材１９を固定部２ｂの内側空間に収納するように取り付けられる。これにより、基枠体１の内側つまり背面からカム部材８を見た場合、図３、図７のように、カム部材８、フランジ７ａはカバー部材１９により完全に覆われ、基枠体１の背面側のみならず左右両側面、正面からもカム部材８は完全にカバーされる。
【００２８】
一方、基枠体１の支持板３及び分割支持板３ａの外側に沿って、帯状長尺の連結杆６が上下に摺動可能に配設される。連結杆６の上端は、鉤部材４の末端部に連結ピン４ｂにより連結され、その下端は同様に下部の鉤部材５の末端部に連結ピン５ｂにより連結される。
【００２９】
図８の分解図に示すように、連結杆６の略中間部下寄りに、幅広部６ｂが形成され、その幅広部６ｂの上部に、カム部材８の係合凸部８ａが係合するカム係合部６ａが内側に曲折して形成される。また、連結杆６の幅広部６ｂの背面側縁部には、後述の筐体側の係止片２６が進入して係合可能な段差部６ｄが形成されている。さらに、連結杆６の上部ストレート部は、基枠体１の支持板３の外側に摺動可能に配設されるが、その上部ストレート部の外側を覆って保護するように、略Ｌ形断面のカバー板１５が支持板３から取付板２にかけて取り付けられる。このカバー板１５は、摺動する連結杆６の外側を覆うことにより、スロットマシン内でその近傍を通る配線などを保護する。
【００３０】
連結杆６は、支持板３，３ａの外側に沿って摺動可能に支持されるが、シリンダ錠７の操作により、カム部材８が正面視時計方向に回動したとき、その係合凸部８ａがカム係合部６ａに係合して、連結杆６は上方に摺動し、これにより、上下の鉤部材４，５を下側に傾動させて解錠動作する。
【００３１】
この連結杆６の幅広部６ｂの内側で、支持板３との間に、ロック部材１０が枢軸１０ｃにより揺動可能に取り付けられる。このロック部材１０は、施錠時に連結杆６の移動をロックするもので、枢軸（支軸）１０ｃによって連結杆６に対し揺動可能に取り付けられている。図８に示すように、このロック部材１０には、連結杆６の段差部６ｄに対応した位置に係合凹部１０ａが設けられ、また、カム部材８の係合凸部８ａと係合可能なカム係合部１０ｂが内側に突出形成されている。
【００３２】
さらに、支持板３，３ａと連結杆６の間にスイッチ作動杆９が摺動可能に配設される。このスイッチ作動杆９は、その上部にカム係合部９ａを設けると共に、非接触スイッチ１８をオンオフさせるための作動片９ｂを下部に設けている。
【００３３】
さらに、スイッチ作動杆９の下部にはガイド孔９ｃが設けられ、そのガイド孔９ｃにガイドピン１１が挿通され、ガイドピン１１の先端が分割支持板３ａに固定されて、スイッチ作動杆９は上下に摺動可能に保持される。また、スイッチ作動杆９は、カム部材８の回動によりそのカム係合部９ａが下方に押されて摺動し、作動片９ｄが下降して非接触スイッチ１８をオンオフ動作させる。
【００３４】
ロック部材１０とスイッチ作動杆９との間にばね部材（コイルばね）１３がかけられる。このばね部材１３はロック部材１０を、その係合凹部１０ａが後述の係止片２６と係合する側に回動するように付勢し、さらにスイッチ作動杆９を上方に付勢し、さらに連結杆６を下方に付勢している。このような各部材を付勢するばね部材１３は、図６のように、その正面側と側面を連結杆６の幅広部６ｂと曲折カバー部６ｃによりカバーされる。ロック部材１０は連結杆６に対し枢軸１０ｃにより所定の僅かな角度範囲で回動可能に軸支され、施錠時に本体枠側の係止片２６がロック部材１０の係合凹部１０ａ進入した際、連結杆６の動き（解錠時の上方への移動）を阻止し、ロックする。
【００３５】
また、キーをシリンダ錠７に差し込み、錠軸及びカム部材８を回動して行う解錠操作時には、カム部材８の係合凸部８ａがロック部材１０のカム係合部１０ｂに作用して、ロック部材１０をその係合凹部１０ａと係止片２６の係合を外す側に回動させ、連結杆６のロックを解除して解錠方向に摺動させるように構成される。
【００３６】
さらに、最も下部の支持板３には、前扉の閉鎖時に前扉を支持するために、支持ローラ１７が軸支されている。支持ローラ１７は、前扉が閉じられる際、筐体側に設けられた支持板２７上に乗り上げて、前扉２１を支持する。
【００３７】
上記構成のゲーム機の施錠装置は、図１３に示すように、スロットマシンの前扉２１の内側（前扉の正面視で右端）に、シリンダ錠７の先端を前面に露出させ、鉤部材４、５を筐体２０側に向けた状態で、取付板２を用いて縦に取付けられる。図１３に示すように、シリンダ錠７は前扉２１内の孔に挿入され、シリンダ錠７の元部も前扉２１に設けた内側凹部内に挿入される。
【００３８】
したがって、その元部でカバー部材１９によって覆われたカム部材８は、前扉２１の内側凹部内に位置することになり、仮に前扉２１の自由端側の隙間から針金等が差し込まれ、基枠体１の内側に針金等の先端が到達したとしても、カム部材８、カム部材８の係合凸部８ａと連結杆６のカム係合部６ａなどとの係合部分には、針金等の先端は全く到達しない。また、支持板３の外側に位置する連結杆６やロック部材１０に対しては、前扉２１の自由端側の隙間が基枠体１の内側に位置するため、支持板３が壁となって、針金等の先端を到達させることはできない。これは針金等の不正器具を使用した不正解錠の防止に対し非常に有効である。
【００３９】
筐体２０の内側には、図１３に示すように、係止部２４，２５及び係止片２６を有する縦長の受け金具２３が、その係止部２４，２５を鉤部材４，５の対応位置に配置して取り付けられる。係止片２６は、前扉２１の閉鎖時に、支持板３の凹部３ｂ及びロック部材１０の係合凹部１０ａ内に進入するように、その凹部３ｂと係合凹部１０ａに位置に対応して配置される。また、受け金具２３の係止部２５の下側に、支持板２７が略水平に設けられ、前扉２１の閉鎖時、施錠装置の支持板３の下部に軸支した支持ローラ１７がこの支持板２７に乗り上げ、前扉２１を持ち上げるように支持する。
【００４０】
前扉２１を筐体２０に対し閉じると、施錠装置の上下の鉤部材４、５が筐体２０側の係止部２４、２５に当って下方に傾動し、このとき、係止片２６がロック部材１０の係合凹部１０ａの上縁部に当たる。ロック部材１０が揺動可能であるため、前扉２１を閉じる力によって係止片２６に押されて内側に揺動し、係止片２６が凹部３ｂと係合凹部１０ａに進入した時、鉤部材４、５が係止部２４、２５に嵌り係合する。そして、ばね部材１３の付勢力により連結杆６が下方に戻ることにより、ロック部材１０の係合凹部１０ａが下に移動し、これにより、図１４に示すように、係止片２６がロック部材１０の係合凹部１０ａ内に嵌入し、連結杆６がロックされる。
【００４１】
このように、前扉２１を閉じる際、ロック部材１０が揺動して、筐体側の係止片２６の係合凹部１０ａへの係合が許容されるから、係止片２６が連結杆６の段差部６ｄの下側に容易に嵌り込むことができる。また、鉤部材４、５が係止部２４、２５の係止される際、連結杆６がロック部材１０と共に一旦上方に移動しその後下方に戻るから、係止片２６はロック部材１０の係合凹部１０ａに確実に係合し、連結杆６をロック状態とすることができる。
【００４２】
従って、スロットマシンの前扉２１と筐体２０の自由端側の隙間から針金等を差し込み、仮に鉤部材４、５や連結杆６を不正に傾動或は摺動させようとしても、連結杆６はロックされて動かず、不正解錠を防止することができる。
【００４３】
前扉２１をキーにより解錠する場合は、図１７のように、キーでシリンダ錠７の錠軸７ｂを回し、カム部材８を図１５の反時計方向に回転させる。このとき、カム部材８の係合凸部８ａが、ロック部材１０のカム係合部１０ｂに当たって、ロック部材１０の下部を前方（係止片２６と反対方向）に揺動させながら、連結杆６のカム係合部１０ｂに当り、ロック部材１０と連結杆６を上方に摺動させる。
【００４４】
またこのとき、ロック部材１０は、その係合凹部１０ａを係止片２６から外すように揺動し、この係止片２６と係合凹部１０ａとの係合が外れる。これによって、連結杆６の上方への移動が可能となり、この際、連結杆６が上方へ移動することにより、上下の鉤部材４、５が下方に傾動して、係止部２４、２５との係合が外れ、図１７のように、前扉２１が解錠される。
【００４５】
このように、キーを右に回して、カム部材８の係合凸部８ａを同方向に回動させれば、ロック部材１０を揺動させてロックを外しながら、連結杆６を解錠方向に移動させ、鉤部材４、５を傾動させて、解錠することができる。
【００４６】
一方、シリンダ錠７に差し込んだキーを左に回すと、カム部材８が図１６の時計方向に回動し、その係合凸部８ａの裏面側（上記のロック部材１０との係合面の反対側）がスイッチ作動杆９のカム係合部９ａに係合してこれを下方に摺動させ、作動片９ｄが非接触スイッチ１８に作用してこれをオンオフ動作させ、スロットマシンのリセットなどを行なう。
【００４７】
このように、シリンダ錠７のフランジ７ａが、取付板２の正面側に突設された固定部２ｂに固定され、錠軸７ｂに固定されたカム部材８とカム部材８が係合する連結杆６の係合部分が基枠体１の正面側に位置するようにし、カム部材８はカバー部材１９によってカバーされ、しかも、カム部材８の係合凸部８ａとロック部材１０は連結杆６の幅広部６ｂと曲折カバー部６ｃにより覆われる。このため、ゲーム機の筐体２０と前扉２１の自由端側の隙間から、針金等の不正器具を差し込んで、基枠体１の内側に不正器具の先端が達したとしても、カム部材８やそれと係合する連結杆６のカム係合部６ａなどは基枠体１の内側に露出していないから、不正器具をそれらに引っ掛けて動かすことはできず、不正解錠を防止することができる。また、連結杆６が基枠体１の支持板３の外側に配設されるため、前扉２１の自由端側の隙間から差し込まれた不正器具には、支持板３が壁となって連結杆６に到達することは難しく、これによっても、不正解錠を防止することができる。
【００４８】
なお、上記実施形態では、支持板３の上部と下部に鉤部材４，５を傾動可能に枢支し、連結杆６によって両鉤部材４，５を連結したが、上部と下部に鉤部を一体に形成してなる施錠杆を基枠体内に摺動可能に配設した構造の施錠装置にも適用することができ、この場合には、施錠杆の一部にカム部材と係合するカム係合部を設けると共に、ロック部材をその施錠杆に枢軸を介して軸支し、施錠杆に係止凹部を設け、筐体側の係止片をそこに係合させる構造にすれば良い。
【図面の簡単な説明】
【００４９】
【図１】本発明の一実施形態を示す施錠装置の斜視図である。
【図２】その背面右側からの斜視図である。
【図３】その背面左側からの斜視図である。
【図４】その正面右側からの斜視図である。
【図５】同施錠装置の左側面図である。
【図６】同施錠装置の右側面図である。
【図７】同施錠装置の背面図である。
【図８】施錠装置の分解左側面図である。
【図９】シリンダ錠ユニットのみを分解した状態の施錠装置の分解背面図である。
【図１０】施錠装置の分解背面図である。
【図１１】シリンダ錠とカバー部材の分解斜視図である。
【図１２】シリンダ錠とカバー部材を組付けたシリンダ錠ユニットの斜視図である。
【図１３】使用状態を示す、前扉を開いた状態の左側面図である。
【図１４】使用状態を示す、前扉を施錠した状態の左側面図である。
【図１５】カバー部材を外した施錠装置を示し、解錠時のカム部材とロック部材及び連結杆の動きを示す背面側からの斜視図である。
【図１６】カバー部材を外した施錠装置を示し、スイッチを動作させた際のスイッチ作動杆の動きを示す背面側からの斜視図である。
【図１７】解錠時のロック部材と鉤部材の動作を示す要部拡大左側面図である。
【符号の説明】
【００５０】
１  基枠体
２  取付板
３  支持板
４，５  鉤部材
６  連結杆
６ａ  カム係合部
６ｂ  幅広部
７  シリンダ錠
７ａ  フランジ
８  カム部材
８ａ  係合凸部
１０  ロック部材
１０ａ  係合凹部
１０ｂ  カム係合部
１９  カバー部材
１９ａ  フランジ嵌入部
１９ｂ  カム収納空間
１９ｃ  固定部嵌入部
２０  筐体
２１  前扉
２３，２４  係止部
２６  係止片                                                                      
【図１】
2008048782.tif 000003
【図２】
2008048782.tif 000004
【図３】
2008048782.tif 000005
【図４】
2008048782.tif 000006
【図５】
2008048782.tif 000007
【図６】
2008048782.tif 000008
【図７】
2008048782.tif 000009
【図８】
2008048782.tif 000010
【図９】
2008048782.tif 000011
【図１０】
2008048782.tif 000012
【図１１】
2008048782.tif 000013
【図１２】
2008048782.tif 000014
【図１３】
2008048782.tif 000015
【図１４】
2008048782.tif 000016
【図１５】
2008048782.tif 000017
【図１６】
2008048782.tif 000018
【図１７】
2008048782.tif 000019